(57)【要約】【課題】記録時及び再生時の向きがユーザにより変更される場合にも、記録した音声または映像が正しい向きで再生されるメディア装置、メディア装置の制御方法及びプログラムを提供する。【解決手段】複数のマイクロホン１３は相互に離間して配置されている。検出部１４は自機の向きを検出する。音声信号割当部２００は、検出部１４による検出結果に基づき、前記複数のマイクロホン１３より取得した音声信号を複数の音声チャンネルに割当てる。記憶部１７は、音声信号割当部２００により割当てられた音声信号を記録する。【選択図】図１
2011139437.tif 000002
【特許請求の範囲】
【請求項１】
相互に離間して配置されている複数のマイクロホン、
自機の向きを検出する検出部、
前記検出部による検出結果に基づき、前記複数のマイクロホンより取得した音声信号を複数の音声チャンネルに割当てる音声信号割当部、
前記音声信号割当部により割当てられた音声信号を記録する記憶部
を備えることを特徴とするメディア装置。
【請求項２】
前記複数のマイクロホンは２つのマイクロホンであり、
前記音声信号割当部は、前記２つのマイクロホンにより取得した音声信号を右チャンネルおよび左チャンネルに割当てる、
請求項１に記載のメディア装置。
新
【請求項３】
前記検出部は、自機の上下向きを検出し、
前記音声信号割当部は、前記検出部において自機の向きが上下逆向きであることが検出された場合、前記２つのマイクロホンにより取得した音声信号を左右逆のチャンネルに割当てる、
請求項２に記載のメディア装置。
【請求項４】
映像を撮影する撮像部、
前記撮像部により取得した映像信号の処理を行う映像データ処理部、
をさらに備え、
前記映像データ処理部は、前記検出部による検出結果に基づき、前記撮像部により取得した映像信号の向きを変更する処理を行い、
前記記憶部は、前記音声信号に加えて前記映像データ処理部により処理された映像信号を記憶する、
請求項１から３のいずれか１項に記載のメディア装置。
【請求項５】
前記映像データ処理部は、前記検出部において自機の向きが上下逆向きであることが検出された場合、前記撮像部により取得した映像信号の向きを上下逆に変更する処理を行う、
請求項４に記載のメディア装置。
【請求項６】
自機の向きを検出する検出ステップ、
前記検出ステップにおける検出結果に基づき、複数のマイクロホンにより取得した音声信号を複数の音声チャンネルに割当てる音声信号割当てステップ、
前記音声信号割当てステップにより割当てられた音声信号を記録する記録ステップ、
を備えることを特徴とするメディア装置の制御方法。
【請求項７】
メディア装置が備えるコンピュータを、
自機の向きを検出する検出部からの信号に基づき自機の向きを判断させる向き判断ステップ、
前記向き判断ステップにおける判断結果に基づき、音声信号を複数の音声チャンネルに割当てる音声信号割当部に、複数のマイクロホンにより取得した音声信号を割当させる音声信号割当てステップ、
前記音声信号割当てステップにより割当てられた音声信号を、音声信号を記録する記憶部に記録させる記録ステップ、
として実行させることを特徴とするプログラム。
【発明の詳細な説明】
【技術分野】
【０００１】
本発明は、音声または映像の記録及び再生を行うメディア装置、メディア装置の制御方法及びプログラムに関し、詳しくは向きを適宜変更して使用されるメディア装置、メディア装置の制御方法及びプログラムに関するものである。
【背景技術】
【０００２】
小型の録音装置や録画装置が普及しており、録音再生または録画再生専用の装置に限らず、携帯型メディア装置やスマートフォン、ＰＤＡ（Personal Digital Assistant）等においても録音再生機能や録画再生機能が付与されている。これらの装置においては、録音用にステレオマイクが備えられていることもあり、ステレオマイクは装置の筐体に所定の間隔を隔てて配置されている。
【先行技術文献】
【特許文献】
【０００３】
【特許文献１】特開２００８−１８０８５７号公報
【発明の概要】
【発明が解決しようとする課題】
【０００４】
特許文献１の技術は、表示パネルと操作部とを１つの面に配備した携帯端末機器であって、機器の持ち方を検出し、検出した向きに合わせて表示パネルの画像を表示する装置が開示されている。このような装置においては、録画したファイルを再生する際に、画像についてはユーザの使用向きに合わせて表示されるが、画像に伴って記録されているステレオ音声の左右向きについては、装置の使用向きによっては左右が逆になってしまう。
【０００５】
本発明の目的は、記録時及び再生時の向きがユーザにより変更される場合にも、記録した音声または映像が正しい向きで再生されるメディア装置、メディア装置の制御方法及びプログラムを提供することである。
【課題を解決するための手段】
【０００６】
上記目的を達成するために、第１の発明に係るメディア装置（１）は、相互に離間して配置されている複数のマイクロホン（１３）、自機の向きを検出する検出部（１４）、前記検出部（１４）による検出結果に基づき、前記複数のマイクロホン（１３）より取得した音声信号を複数の音声チャンネルに割当てる音声信号割当部（２００）、前記音声信号割当部（２００）により割当てられた音声信号を記録する記憶部（１７）を備えることを特徴とする。
【０００７】
第２の発明に係るメディア装置（１）は、第１の発明において、前記複数のマイクロホン（１３）は２つのマイクロホンであり、前記音声信号割当部（２００）は、前記２つのマイクロホン（１３）により取得した音声信号を右チャンネルおよび左チャンネルに割当てる。
【０００８】
第３の発明に係るメディア装置（１）は、第２の発明において、前記検出部（１４）は、自機の上下向きを検出し、前記音声信号割当部（２００）は、前記検出部（１４）において自機の向きが上下逆向きであることが検出された場合、前記２つのマイクロホン（１３）により取得した音声信号を左右逆のチャンネルに割当てる。
【０００９】
第４の発明に係るメディア装置（１）は、第１から第３のいずれか１の発明において、映像を撮影する撮像部（１９）、前記撮像部（１９）により取得した映像信号の処理を行う映像データ処理部（２２０）、をさらに備え、前記映像データ処理部（２２０）は、前記検出部（１４）による検出結果に基づき、前記撮像部（１９）により取得した映像信号の向きを変更する処理を行い、前記記憶部（１７）は、前記音声信号に加えて前記映像データ処理部（２２０）により処理された映像信号を記録する。
【００１０】
第５の発明に係るメディア装置（１）は、第４の発明において、前記映像データ処理部（２２０）は、前記検出部（１４）において自機の向きが上下逆向きであることが検出された場合、前記撮像部（１９）により取得した映像信号の向きを上下逆に変更する処理を行う。
【００１１】
第６の発明に係るメディア装置（１）の制御方法は、自機の向きを検出する検出ステップ、前記検出ステップにおける検出結果に基づき、複数のマイクロホン（１３）により取得した音声信号を複数の音声チャンネルに割当てる音声信号割当てステップ、前記音声信号割当てステップにより割当てられた音声信号を記録する記録ステップ、を備えることを特徴とする。
【００１２】
第７の発明に係るプログラムは、メディア装置（１）が備えるコンピュータを、  自機の向きを検出する検出部（１４）からの信号に基づき自機の向きを判断させる向き判断ステップ、前記向き判断ステップにおける判断結果に基づき、音声信号を複数の音声チャンネルに割当てる音声信号割当部（２００）に、複数のマイクロホン（１３）により取得した音声信号を割当させる音声信号割当てステップ、前記音声信号割当てステップにより割当てられた音声信号を、音声信号を記録する記憶部（１７）に記録させる記録ステップ、として実行させることを特徴とする。
【発明の効果】
【００１３】
本発明によれば、記録時及び再生時の向きがユーザにより変更される場合にも、記録した音声または映像が正しい向きで再生される。
【図面の簡単な説明】
【００１４】
【図１】本発明におけるメディア装置の構成ブロック図である。
【図２】本発明におけるメディア装置の正面斜視図である。
【図３】本発明におけるメディア装置の背面斜視図である。
【図４】本発明における第１の実施例に係るメディア装置による動作を表すフローチャートである。
【図５】本発明における第１の実施例に係るメディア装置を用いた、音声を記録、再生する場合の説明概念図である。
【図６】本発明における第２の実施例に係るメディア装置による動作を表すフローチャートである。
【図７】本発明における第２の実施例に係るメディア装置を用いた、音声及び映像の両方を記録、再生する場合説明概念図である。
【図８】本発明における音声信号割当部による音声データの割当て処理の説明概念図である。
【図９】本発明における音声信号割当部を構成する回路を示す概念図である。
【図１０】本発明における音声信号割当部による音声データの割当て処理の説明概念図である。
【発明を実施するための形態】
【００１５】
本発明のメディア装置１について、図１から図３に基づき説明する。図１は、メディア装置１の構成ブロック図であり、図２及び図３はメディア装置１の正面斜視図及び背面斜視図である。メディア装置１は、ユーザが両手又は片手で把持したり、掌に載せたりすることができる縦、横、厚さの寸法及び重量であることが好ましい。
【００１６】
メディア装置１は、音声の記録または音声に加えて映像の記録を行うことができる、ポータブルレコーダ等であり、同様の機能を有しているものであれば、携帯型メディア装置、ＰＤＡ、タブレット型ＰＣ、携帯電話、スマートフォン等であってもよい。
【００１７】
メディア装置１は、表示部１１、操作部１２、マイクロホン１３、検出部１４、入力部１５、出力部１６、記憶部１７、スピーカ１８、撮像部１９、制御部２０を備える。
【００１８】
表示部１１は、メディア装置１に一体化して備えられる液晶表示装置や有機ＥＬ（Electro Luminescence）表示装置等であり、メディア装置１に関する各種情報を表示する。操作部１２は、メディア装置１に対する各種操作を受け付けるスイッチやボタン、表示部１１上に設けられたタッチパネル装置等である。
【００１９】
マイクロホン１３は、メディア装置１に備えられ、音声信号を取得する。マイクロホン１３は、メディア装置１の本体左側に配置される左側マイクロホン１３Ｌ、本体右側に配置される右側マイクロホン１３Ｒからなる。
【００２０】
検出部１４は、メディア装置１の向きを検出するセンサであり、加速度センサ等により、メディア装置１が通常方向（図２およびに図３に示した向き）の状態であるか、逆方向（図２およびに図３に示した向きと上下逆の向き）の状態であるかを検出する。加速度センサは例えば２軸や３軸またはそれ以上の方向に対する加速度を検出するものが用いられる。
【００２１】
入力部１５は、メディア装置１に外部からの各種データや各種信号を入力する入力端子等である。出力部１６は、メディア装置１から外部装置等へ各種データや各種信号を出力する出力端子等である。入力部１５および出力部１６は、端子等を介さず、無線通信や非接触通信等により入出力を行ってもよい。
【００２２】
記憶部１７は、例えばＨＤＤ（Hard Disk Drive）やフラッシュメモリ等により構成され、各種データを記憶する。記憶部４０は、図示しない接続部に接続されたメモリカード、ＵＳＢメモリ、外部ＨＤＤ等の外部記憶デバイスであってもよい。
【００２３】
スピーカ１８は、メディア装置１において再生される各種コンテンツ等の音声を出力する。スピーカ１８は、メディア装置１の本体左側に配置される左側スピーカ１８Ｌ、本体右側に配置される右側スピーカ１８Ｒからなる。また、制御部２０とスピーカ１８の間には、図示しない増幅部が含まれていてもよい。
【００２４】
撮像部１９は、ＣＣＤ（Charge Coupled Device）イメージセンサやＣＭＯＳ（Complementary Metal Oxide Semiconductor）イメージセンサに加えて対物レンズ等により構成され、対物レンズに入射する映像をデータとして取得する。撮像部１９は、イメージセンサおよび対物レンズに加えて、制御部２０の制御により対物レンズ等を駆動することにより焦点を合わせる図示しないレンズ駆動部を備えていてもよい。
【００２５】
制御部２０は、例えばＣＰＵ（Central Processing Unit）、ＲＡＭ（Random Access Memory）、ＲＯＭ（Read Only Memory）、ＤＳＰ（Digital Signal Processor）等により構成されるとともに、音声信号割当部２００、音声データ処理部２１０、ＡＤＣ（Analog Digital Converter）２１５、ＤＡＣ（Digital Analog Converter）２１６、映像データ処理部２２０を備える。
【００２６】
音声信号割当部２００は、検出部１４から取得した信号をＣＰＵ等が解析したメディア装置１の傾き状態に対応し、記憶部１７に記憶する音声信号の左右チャンネルを割当てる。音声信号割当部２００は、各種電子回路により構成されるスイッチや、ＤＳＰ等の処理により実現される。
【００２７】
音声データ処理部２１０はＤＳＰ等により実現され、ＣＰＵ等からの指令等により音声データのデコードやエンコード、音質調整、サラウンド処理等の処理を行う。例えば、マイクロホン１３により取得され後述するＡＤＣ２１５によりデジタルデータに変換された音声データを、ユーザの選択等によってＭＰ３（MPEG Audio Layer-3）形式への圧縮等を行う。
【００２８】
ＡＤＣ２１５は、マイクロホン１３や入力部１５から入力されたアナログ音声信号をデジタル音声データに変換する。ＤＡＣ２１６は、記憶部１７に記憶され再生されたデジタル音声データをアナログ音声信号に変換し、出力部１６やスピーカ１８に出力する。ＡＤＣ２１５とＤＡＣ２１６は専用のＩＣであってもよい。
【００２９】
映像データ処理部２２０は、ＤＳＰや映像データ処理用のプロセッサ等により実現され、撮像部１９により取得した映像データの画質調整、エンコード、デコード等を行う。映像データの画質調整には、映像データの向きの変更も含まれる。また、映像データは、静止画であっても動画であってもよい。例えば、撮像部１９により取得した映像データが静止画である場合はＪＰＥＧ形式等に圧縮し、音声データと映像データを含む動画である場合にはＭＰＥＧ−４形式等に圧縮する。
【００３０】
メディア装置１は、一例として図２および図３に示されるように矩形の筐体として構成されるが、矩形に限らず他の各種形状であってもよい。図２はメディア装置１の正面斜視図であり、正面側には表示部１１、操作部１２、およびスピーカ１８が配置されている。スピーカ１８は、正面に向かって左側に左側スピーカ１８Ｌが配置され、右側に右側スピーカ１８Ｒが配置されている。操作部１２は、表示部１１上に形成されるタッチパネルであってもよい。操作部１２およびスピーカ１８は、メディア装置１の正面側の配置に限らず、側面や裏面に配置されていてもよいが、スピーカ１８はメディア装置１の正面に向かって左側に左側スピーカ１８Ｌ、右側に右側スピーカ１８Ｒが配置される。
【００３１】
図２に示すように、メディア装置の正面に向かって左右方向をＸ軸方向、上下方向をＹ軸方向、奥行き方向をＺ軸方向として説明する。
【００３２】
図３は、メディア装置１の裏面斜視図であり、裏面側には撮像部１９およびマイクロホン１３が配置される。マイクロホン１３は、正面に向かって左側に左側マイクロホン１３Ｌが配置され、右側に右側マイクロホン１３Ｒが配置されている。マイクロホン１３は、メディア装置１の裏面側の配置に限らず、側面や正面に配置されていてもよいが、マイクロホン１３はメディア装置１の正面に向かって左側に左側マイクロホン１３Ｌ、右側に右側マイクロホン１３Ｒが配置される。
【００３３】
ユーザは、メディア装置１を用いて、音声や映像の記録を行うことができる。例えば、マイクロホン１３によりメディア装置１の周辺または特定方向の音声を取得し音声データとして記憶部１７に記憶することができる。さらに撮像部１９により撮像部１９が向いている方向を中心とした映像を映像データとして記憶部１７に記憶することができる。これらの音声データや映像データは音声データ処理部２１０または映像データ処理部２２０により適宜圧縮処理され、記憶部１７に記憶される。
【００３４】
また、メディア装置１は記憶部１７に記憶された音声データや映像データをユーザによる操作部１２の操作により再生する。記憶部１７に記憶された各種データは、自機により記録した音声データや映像データに加えて、他機器により記録されたものであってもよい。また再生する各種データは記憶部１７としての外部記憶デバイスや、外部装置から入力部１５を介して供給されてもよい。
【００３５】
ここで、メディア装置１の通常方向及び逆方向について定義する。ユーザは、メディア装置１の正面側を自分の方へ向けつつ、Ｘ軸およびＹ軸によって形成されるＸＹ平面上で種々の回転角度（時計回りの回転方向位置）に回転して使用する場合がある。この回転角度について基準の回転角度を定め。該基準回転角度における向きを「通常方向」、該基準角度に対して１８０°回転した回転角度の向きを「逆方向」と定義する。メディア装置１では、図２に示した状態のメディア装置１の回転角度を基準の回転角度に定める。したがって、図２のメディア装置１の向きが通常方向となり、図２のメディア装置１を上下反対にした向きが逆方向となる。
【００３６】
上述した「通常方向」および「逆方向」は、図２に示す方向およびその逆方向を中心に±４５度程度の幅を持たせてもよい。つまり図２に示す状態を中心に検出部１４が検出したＸＹ平面上の回転角度が±４５度の範囲内であれば、通常方向での使用とされ、図２に示す方向を上下反対にした状態を中心にＸＹ平面上の回転角度が±４５度の範囲内であれば逆方向での使用としてもよい。
【００３７】
また、メディア装置１の回転方向としてＹ軸およびＺ軸によって形成されるＹＺ平面上での回転に対しても、図２に示す状態を中心に検出部１４が検出したＹＺ平面上の回転角度が±４５度の範囲内であれば、通常方向での使用とされ、図２に示す方向を上下反対にした状態を中心にＹＺ平面上の回転角度が±４５度の範囲内であれば逆方向での使用としてもよい。
【００３８】
次に、本発明におけるメディア装置の動作における第１の実施例について、図４および図５に基づき説明する。図４は、第１の実施例に係る動作を説明したフローチャートであり、音声の記録に係る動作を説明したものである。
【００３９】
先ず、メディア装置１の制御部２０はユーザによる操作部１２の操作によって音声記録動作が開始されたか否かを判断する（ステップＳ１１）。ステップＳ１１において音声記録動作が開始されたと判断された場合は（ステップＳ１１：Ｙｅｓ）、制御部２０は検出部１４からの出力を基にメディア装置１の向きが逆方向であるか否かを判断する（ステップＳ１２）。ステップＳ１１において音声記録動作が開始されていないと判断された場合は（ステップＳ１１：Ｎｏ）、ステップＳ１１の処理を繰り返す。ステップＳ１１における音声記録動作の開始は、通常はユーザによる操作部１２の操作によって行われるが、操作部１２を用いたユーザ設定によるタイマーを用いた音声記録動作の開始であってもよい。
【００４０】
ステップＳ１２において、メディア装置１の向きが逆方向であると判断された場合は（ステップＳ１２：Ｙｅｓ）、制御部１２は記録する音声の左右チャンネルを切替えて記録する処理を行う（ステップＳ１４）。ステップＳ１４における処理の詳細は別途説明するが、制御部２０は左側マイクロホン１３Ｌから入力された音声信号を音声信号割当部２００の処理によって右チャンネルの音声データとし、同様に右側マイクロホン１３Ｒから入力された音声信号を音声信号割当部２００の処理によって左チャンネルの音声データとして、記憶部１７に記録する。
【００４１】
ステップＳ１２において、メディア装置１の向きが逆方向ではないと判断された場合は（ステップＳ１２：Ｎｏ）、制御部１２は記録する音声の左右チャンネルを切替えずに通常の音声記録処理を行う（ステップＳ１３）。
【００４２】
ステップＳ１３およびステップＳ１４による音声記録動作中において、制御部２０はユーザによる操作部１２の操作によって音声記録動作が終了したか否かを判断する（ステップＳ１５）。ステップＳ１５において音声記録動作が終了したと判断された場合は（ステップＳ１５：Ｙｅｓ）、本処理を終了する。ステップＳ１５における音声記録動作の終了は、通常はユーザによる操作部１２の操作によって行われるが、操作部１２を用いたユーザ設定によるタイマーを用いた記録動作の終了や、記憶部１７の記憶残容量が所定以下となったことの判断、図示しないバッテリの残容量が所定以下となったことの判断等により行われてもよい。
【００４３】
ステップＳ１５において音声記録動作が終了していないと判断された場合は（ステップＳ１５：Ｎｏ）、ステップＳ１２の処理に移行する。
【００４４】
図５は、第１の実施例による音声の記録および再生を説明した概念図である。図５（ａ）はメディア装置１を用いて記録対象５０の音声を録音している概念図であり、ここでメディア装置１は上下逆方向で使用されている。このように使用される場合、ユーザから見て右側に左側マイクロホン１３Ｌが位置し、左側に右側マイクロホン１３Ｒが位置している。このためメディア装置１に内蔵された検出部１４からの出力信号により、制御部２０は音声信号割当部２００により左側マイクロホン１３Ｌから入力された音声信号が右チャンネルの音声データとして記録され、右側マイクロホン１３Ｒから入力された音声信号が左チャンネルの音声データとして記録されるように制御する。
【００４５】
図５（ａ）の状態においては、表示部１１に音声の記録中である旨を表示してもよい。図５（ａ）の例においては「録音中」と表示されている。また、検出部１４の出力に基づきメディア装置１が上下逆方向で音声記録動作がおこなわれているため、表示部１１には音声チャンネルが反転して記録されている旨の表示も行ってもよい。
【００４６】
図５（ｂ）は、図５（ａ）の状態により録音された音声データを通常方向におけるメディア装置１の使用により再生している概念図である。ここで左側スピーカ１８Ｌから出力されている音声は、図５（ａ）において右側マイクロホン１３Ｒにより入力され、記憶部１７の左チャンネルの音声データとして記録された音声である。同様に右側スピーカ１８Ｒから出力されている音声は左側マイクロホン１３Ｌにより入力され、記憶部１７の右チャンネルの音声データとして記録された音声である。
【００４７】
図５（ｃ）は、図５（ａ）の状態により録音された音声データを、記憶部１７である可搬式の記録媒体５５を用いて外部音声再生装置６０により再生している概念図である。外部音声再生装置６０は据置き型やポータブル型等各種形態のオーディオ再生装置であり車載装置であってもよく、左ｃｈ用スピーカ６１Ｌおよび右ｃｈ用スピーカ６１Ｒを備えている。ここで記録媒体５５を、外部音声再生装置６０が備える図示しないメモリカードスロット等に挿入してメディア装置１により録音した音声データを再生すると、左ｃｈ用スピーカ６１Ｌからは図５（ａ）において右側マイクロホン１３Ｒにより入力され左チャンネルの音声データとして記録された音声が出力される。同様に右ｃｈ用スピーカ６１Ｒからは左側マイクロホン１３Ｌにより入力され右チャンネルの音声データとして記録された音声が出力される。
【００４８】
このように、音声記録時にメディア装置１が逆方向で使用されているにもかかわらず、自装置または他の装置における再生であっても左右の音声が逆になることがなく違和感のない音声の再生が可能となる。
【００４９】
次に、本発明におけるメディア装置の動作における第２の実施例について、図６および図７に基づき説明する。図６は、第２の実施例に係る動作を説明したフローチャートであり、音声および映像による動画の記録に係る動作を説明したものである。図６の説明においては、図４に示す第１の実施例の説明と同一の処理に関する説明は省略する。
【００５０】
先ず、メディア装置１の制御部２０はユーザによる操作部１２の操作によって動画記録動作が開始されたか否かを判断する（ステップＳ２１）。ステップＳ２１において動画記録動作が開始されたと判断された場合は（ステップＳ２１：Ｙｅｓ）、制御部２０は検出部１４からの出力を基にメディア装置１の向きが逆方向であるか否かを判断する（ステップＳ１２）。ステップＳ２１において動画記録動作が開始されていないと判断された場合は（ステップＳ２１：Ｎｏ）、ステップＳ２１の処理を繰り返す。ステップＳ２１における動画記録動作の開始は、通常はユーザによる操作部１２の操作によって行われるが、操作部１２を用いたユーザ設定によるタイマーを用いた動画記録動作の開始であってもよい。
【００５１】
ステップＳ１２において、メディア装置１の向きが逆方向であると判断された場合は（ステップＳ１２：Ｙｅｓ）、制御部１２は記録する動画における音声の左右チャンネルを切替えるとともに動画における映像を上下反転して記録する処理を行う（ステップＳ２４）。ステップＳ２４における処理の詳細は別途説明するが、制御部２０は左側マイクロホン１３Ｌから入力された音声信号を音声信号割当部２００の処理によって右チャンネルの音声データとし、同様に右側マイクロホン１３Ｒから入力された音声信号を音声信号割当部２００の処理によって左チャンネルの音声データとする。さらに制御部２０は撮像部１９により取得した映像データを映像データ処理部２２０により上下反転させ、音声とともに記憶部１７に記録する。
【００５２】
ステップＳ１２において、メディア装置１の向きが逆方向ではないと判断された場合は（ステップＳ１２：Ｎｏ）、制御部１２は記録する音声の左右チャンネルを切替えず、記録する映像の上下を反転させずに、通常の動画記録処理を行う（ステップＳ２３）。
【００５３】
ステップＳ２３およびステップＳ２４による動画記録動作中において、制御部２０はユーザによる操作部１２の操作によって動画記録動作が終了したか否かを判断する（ステップＳ２５）。ステップＳ２５において動画記録動作が終了したと判断された場合は（ステップＳ２５：Ｙｅｓ）、本処理を終了する。ステップＳ２５における動画記録動作の終了は、通常はユーザによる操作部１２の操作によって行われるが、操作部１２を用いたユーザ設定によるタイマーを用いた記録動作の終了や、記憶部１７の記録残容量が所定以下となったことの判断、図示しないバッテリの残容量が所定以下となったことの判断等により行われてもよい。
【００５４】
ステップＳ２５において動画記録動作が終了していないと判断された場合は（ステップＳ２５：Ｎｏ）、ステップＳ１２の処理に移行する。
【００５５】
図７は、第２の実施例による動画の記録および再生を説明した概念図である。図７（ａ）はメディア装置１を用いて記録対象５０の動画を録画している概念図であり、ここでメディア装置１は上下逆方向で使用されている。このように使用される場合、ユーザから見て右側に左側マイクロホン１３Ｌが位置し、左側に右側マイクロホン１３Ｒが位置している。このためメディア装置１に内蔵された検出部１４からの出力信号により、制御部２０は記録している動画における音声データを音声信号割当部２００により左側マイクロホン１３Ｌから入力された音声信号が右チャンネルの音声データとして記録され、右側マイクロホン１３Ｒから入力された音声信号が左チャンネルの音声データとして記録されるように制御する。  また、図７（ａ）の状態においては撮像部１９により撮影された映像は映像データ処理部２２０の処理によって上下逆に変換され、記憶部１７に記録される。
【００５６】
図７（ａ）の状態においては、表示部１１に動画の記録中である旨を表示してもよい。図７（ａ）の例においては「記録中」と表示されており、その背景には現在記録している記録対象５０を含む記録範囲の映像が表示される。表示部１１に映像データ処理部２２０による上下反転前の映像を表示してもよく、上下反転後の映像を表示してもよい。
【００５７】
図７（ｂ）は、図７（ａ）の状態により記録された動画データを通常方向におけるメディア装置１の使用により再生している概念図である。ここで左側スピーカ１８Ｌから出力されている音声は、図７（ａ）において右側マイクロホン１３Ｒにより入力され、記憶部１７の左チャンネルの音声データとして記録された音声である。同様に右側スピーカ１８Ｒから出力されている音声は左側マイクロホン１３Ｌにより入力され、記憶部１７の右チャンネルの音声データとして記録された音声である。また、表示部１１に表示される映像は、図７（ａ）において撮像部１９により取得され映像データ処理部２２０によって上下逆に変換され記憶部１７に記録された映像である。
【００５８】
図７（ｃ）は、図７（ａ）の状態により記録された動画データを、記憶部１７である可搬式の記録媒体５５を用いて外部映像音声再生装置７０により再生している概念図である。外部映像音声再生装置７０は据置き型やポータブル型等各種形態の動画再生装置であり車載装置であってもよい。図７（ｃ）の例において、外部映像音声再生装置７０はＤＶＤ（Digital Versatile Disc）再生装置やＢＤ（Blu-ray Disc）再生装置等の映像音声再生装置７１および液晶テレビ装置等の映像表示装置７２からなる。映像表示装置７２は左ｃｈ用スピーカ７３Ｌおよび右ｃｈ用スピーカ７３Ｒを備える。
【００５９】
ここで記録媒体５５を映像音声再生装置７１が備える図示しないメモリカードスロット等に挿入してメディア装置１により記録した動画データを再生すると、映像表示装置７２における左ｃｈ用スピーカ７３Ｌからは図７（ａ）において右側マイクロホン１３Ｒにより入力され左チャンネルの音声データとして記録された音声が出力される。同様に右ｃｈ用スピーカ７３Ｒからは左側マイクロホン１３Ｌにより入力され右チャンネルの音声データとして記録された音声が出力される。さらに、映像表示装置７２においては図７（ａ）で取得された上下逆に記録された映像が表示される。
【００６０】
このように、動画記録時にメディア装置１が逆方向で使用されているにもかかわらず、自装置または他の装置における再生であっても、音声の左右および映像の上下が逆になることがなく違和感のない動画再生が可能となる。
【００６１】
図５および図７においては、メディア装置１により記録された各種データを、メモリカード等の記録媒体５５を用いて外部音声再生装置６０または外部映像音声再生装置で再生可能としたが、記録媒体５５に限らず、有線または無線による伝送であってもよい。例えばＲＣＡ規格のケーブルやＨＤＭＩ（High−Definition Multimedia Interface）による接続、Ｗｉ−Ｆｉ（Wireless Fidelity）通信やブルートゥース等の通信、トランスファージェット等の近距離通信などによるデータ伝送などである。
【００６２】
なお、図４におけるステップＳ１２、Ｓ１３、Ｓ１４の処理、図６におけるステップＳ１２、Ｓ２３，Ｓ２４の処理は、当初検出部１４が検出したメディア装置１の向きと異なる結果が得られた場合、その都度Ｓ１３、Ｓ１４、Ｓ２３、Ｓ２４の処理を実行するのではなく、記録開始時のみの判断であってもよい。さらには異なる向きであることが検出されたときから所定時間経過した場合に、異なる向きに対応する処理を行ってもよい。その場合には、制御部２０には図示しない遅延回路を設け、所定時間経過後に、異なるも向きであることが検出されたときの音声データまたは動画データから異なる向きに対応する処理を行ってもよい。このような処理により、メディア装置１の誤った動作等による意図しない音声や映像の反転を防止することができる。
【００６３】
次に、上記実施例における音声信号割当部２００による音声信号の左右切り替え処理について、図８から図１０を用いて説明する。
【００６４】
図８は、音声データがリニアＰＣＭ信号であるときの音声信号割当部２００による処理を表す概念図である。リニアＰＣＭ信号は右チャンネルの音声信号（Ｒｃｈデータ）と左チャンネルの音声信号（Ｌｃｈデータ）が交互に配置されている。図８に示すように、リニアＰＣＭデータ３００の音声データがＬn-1、Ｒn-1、Ｌn、Ｒn、Ｌn+1、Ｒn+1、Ｌn+1と配置されている場合に、ＤＳＰ等により構成される音声信号割当部２００は、これらの音声信号を位相反転リニアＰＣＭデータ３００'として右チャンネルと左チャンネルの音声データを入れ替える。この処理によりリニアＰＣＭデータ３００はＲ'n-1、Ｌ'n-1、Ｒ'n、Ｌ'n、Ｒ'n+1、Ｌ'n+1、Ｒ'n+2の配置となる位相反転リニアＰＣＭデータ３００'に変換され、記憶部１７に記憶される。この変換された音声データを再生することにより、左右チャンネルを入れ替えた音声データを再生することができる。
【００６５】
図９は、他の構成によって音声信号割当部２００を構成した概念図である。この場合の音声信号割当部２００は、制御部２０により制御されるオーディオスイッチＩＣ等により実現される。検出部１４の出力を基にメディア装置１の向きが逆方向であると制御部２０が判断した場合、制御部２０は音声信号割当部２００であるオーディオスイッチに所定電圧等の信号を出力してスイッチを切り替え、図９における破線で表す回路を導通させる。これにより、左側マイクロホン１３Ｌにより取得した音声信号は音声信号割当部２００によりＡＤＣ２１５における右ｃｈ用ＤＡＣ２１５Ｒに入力される。同様に右側マイクロホン１３Ｒにより取得した音声信号は左ｃｈ用ＤＡＣ２１５Ｌに入力される。ＡＤＣ２１５によりデジタルデータ化された音声データは、音声データ処理部２１０により適宜圧縮処理などの処理が行われ、記憶部１７に記憶される。
【００６６】
図１０は、音声信号がＬＲクロック信号により右チャンネルと左チャンネルとに定義される場合の音声信号割当部２００による処理を表す概念図であり、音声信号割当部２００は制御部２０を構成するＤＳＰ等により実現される。図１０（ａ）は、メディア装置１が通常方向である場合の音声信号割当部２００における処理例であり、音声データ３００（DATA）は、マイクロホン１３から入力されＡＤＣ２１５によりデジタルデータに変換されたデータであり、システムクロック３１５に同期している状態を示している。音声データ３００は所定のビット長ごとに左チャンネル用の音声データ（Left Data）と右チャンネル用の音声データ（Right Data）として割当てられている。このため、システムクロック３１５に同期したＬＲクロック３１０によって、音声データ３００を左右各々のチャンネルの信号として割当てる。
【００６７】
図１０（ｂ）は、ＬＲクロック３１０における左右チャンネルを定義する信号を逆にした状態を示す。具体的には、ＬＲクロック３１０における通常Ｈｉレベルの信号（例えばデジタル信号の"１"を表すレベルの信号）とＬｏｗレベルの信号（例えばデジタル信号の"０"を表すレベルの信号）のレベルを反転させることにより、左右チャンネルの割当を逆にする。また、レベルの反転以外にもＬＲクロック３１０の周期を半周期シフトさせることにより、左右チャンネルの割当を逆にすることができる。
【００６８】
このようにしてＬＲクロック３１０による左右チャンネルの割当を逆にすることにより、左側マイクロホン１３Ｌにより取得した音声信号を右チャンネルの音声データとし、同様に右側マイクロホン１３Ｒにより取得した音声信号を左チャンネルの音声データとして、記憶部１７に記憶することができる。したがって、左右チャンネルを逆にして記憶部１７に記憶された音声データを再生することができる。
【００６９】
なお、本発明は上述した実施の形態のみに限定されるものではなく、本発明の要旨を逸脱しない範囲において種々の変更（付加及び削除も含む。）が可能であることは言うまでもない。
【００７０】
例えば、検出部１４が検出したメディア装置１の向きが、図２に示す状態からＸＹ平面上に時計周りおよび半時計周りのいずれかの方向に９０度（±４５度）程度傾いて使用されている場合、音声信号割当部２００はその状態で上に位置するマイクロホン１３により取得した音声信号を、右チャンネルの音声データとして取得してもよい。具体的には、図２の状態より時計周りに９０度傾いて音声または動画が記録される場合は、上に位置する左側マイクロホン１３Ｌにより取得した音声信号を右チャンネルの音声データとして記録し、下に位置する右側マイクロホン１３Ｒにより取得した音声信号を左チャンネルの音声データとして記録する。またその逆の設定でもよい。
【００７１】
映像データについても同様であり、メディア装置１を時計周りに９０度（±４５度）程度傾いた状態で記録された場合には、映像データ処理部２２０の処理により映像データを逆方向（反時計周りに９０度）回転させて記憶部１７に記憶させる。反時計回りに９０度（±４５度）傾いた状態で記録された場合であっても、映像データを時計周りに９０度回転させて記憶する。
【符号の説明】
【００７２】
１：メディア装置、１１：表示部、１３：マイクロホン、１４：検出部、１８：スピーカ、１９：撮像部、２０：制御部、２００：音声信号割当部、２２０：映像データ処理部
【図１】
2011139437.tif 000003
【図２】
2011139437.tif 000004
【図３】
2011139437.tif 000005
【図４】
2011139437.tif 000006
【図５】
2011139437.tif 000007
【図６】
2011139437.tif 000008
【図７】
2011139437.tif 000009
【図８】
2011139437.tif 000010
【図９】
2011139437.tif 000011
【図１０】
2011139437.tif 000012